(57)【特許請求の範囲】
【請求項１】
生ゴミの収納容器と、生ゴミ収納容器内の生ゴミを加熱乾燥させる収納容器内の第１ヒータと、収納容器底面に位置する第２ヒータと、生ゴミ収納容器の温度を検知すると共にその底面に位置する温度センサと、この温度センサの最高温度と最低温度を検出し、記憶する最高温度記憶手段、最低温度記憶手段と、これらの差を比較する比較手段とを有し、この比較手段の出力によって、生ゴミ収納容器内の生ゴミが乾燥したと判断し、終了させる制御手段からなる厨芥処理装置。
【請求項２】
生ゴミの収納容器と、生ゴミ収納容器内の生ゴミを加熱乾燥させる収納容器内の第１ヒータと、収納容器底面に位置する第２ヒータと、生ゴミ収納容器の温度を検知すると共にその底面に位置する温度センサと、この温度センサの出力を平均する平均値演算手段と、この出力を所定値と比較する第２比較手段とを有し、この第２比較手段の出力によって、生ゴミ収納容器内の生ゴミが乾燥したと判断し、終了させる制御手段からなる厨芥処理装置。
【請求項３】
生ゴミの乾燥状態のできばえを選択する選択手段と、前記選択手段の出力に応じた複数種類の時間計時を行うタイマーとを備え、前記タイマーの計時終了時に第１、第２ヒータの通電を停止させるようにした請求項２記載の厨芥処理装置。
【請求項４】
生ゴミの乾燥状態のできばえを選択する選択手段と、前記選択手段の出力に応じた複数の所定比較温度値を記憶している記憶手段と、前記平均値演算手段の出力を前記記憶手段の記憶値と比較する第２比較手段とを有し、前記第２比較手段の出力によって、第１、第２ヒータの通電を停止させるようにした請求項２または３項に記載の厨芥処理装置。
【請求項５】
運転を開始させる運転スイッチと、終了時の乾燥したゴミを自動で生ゴミ収納容器外へ排出させる払い出しスイッチと、生ゴミ収納容器内の生ゴミを加熱乾燥させる収納容器内の第１ヒータと、収納容器底面に位置する第２ヒータと、この第２ヒータの温度を検知する生ゴミ収納容器の底面に位置する温度センサと、複数の所定比較温度値を記憶している第２記憶手段と、前記温度センサの出力と前記第２記憶手段の記憶値とを比較する第２比較手段と、前記運転スイッチが操作された回数を記憶する第３記憶手段とを有し、前記第３記憶手段の記憶値によって前記第２記憶手段に記憶している比較温度値を選択するようにした厨芥処理装置。
【請求項６】
生ゴミ収納容器内の生ゴミを撹拌させる撹拌手段と、この撹拌手段の回転数を可変させる回転数可変手段とを備え、第３記憶手段の記憶値によって前記回転数可変手段の出力を決定するようにした請求項５記載の厨芥処理装置。
【発明の詳細な説明】
【０００１】
【産業上の利用分野】
本発明は、生ゴミ等の厨芥を処理するための厨芥処理装置で、特に生ゴミの乾燥、及び終了検知に関すものである。
【０００２】
【従来の技術】
従来の厨芥処理装置としては、生ゴミを粉砕して下水へ流すディスポーザーや生ゴミを粉砕・脱水して回収する生ゴミ脱水機がある。ディスポーザーは、下水処理施設のない地域では河川を汚し、環境汚染の原因になる。一方、生ゴミ脱水機は、脱水した生ゴミを回収するので直接には環境汚染の原因にはならないが、回収した生ゴミを放置しておくと腐敗しやすく、悪臭を発生する。そのため、脱水回収した生ゴミを低温で保管したり、頻繁に公共のゴミ収集場所へだして処理しなければならない。
【０００３】
これらの課題に対応する手段として、生ゴミを乾燥して元の体積・重量を低減し、処理の大幅な簡素化を図った厨芥処理装置が発明された。
【０００４】
【発明が解決しようとする課題】
ところがこの種の処理装置では、処理容器内を容器上部のみの温風（ヒータを所定温度で温度調節している）で乾燥する。そして生ゴミの乾燥状態を生ゴミを収納している収納容器の外壁に設置した温度検知手段の温度がピーク値からある一定の温度以上連続して一定時間低下した場合に乾燥終了と判断していた。このため、乾燥処理時間が長く、かつ生ゴミの量が多い場合は過乾燥に、反対に生ゴミの量が少ない場合は未乾燥となり、処理容器内に投入された生ゴミの量によって、生ゴミの乾燥状態が非常に異なり、時間がかかるという課題があった。さらに、撹拌手段を所定時間での間欠運転をしているため、温度検知手段の検知温度が撹拌手段が運転して水分が一度に吹き出した時は温度が高くなり、結果ゴミの乾燥度合いがばらつき、また使用者の好みの乾燥度合いが選択できない、またセンサが２つ以上必要であるという課題があった。
【０００５】
本発明は、この課題を解消し、使用性の高い厨芥処理装置を提供することを目的とする。
【０００６】
【課題を解決するための手段】
上記目的を達成するための本発明の第１の手段は、生ゴミの収納容器と、生ゴミ収納容器内の生ゴミを加熱乾燥させる収納容器内の第１ヒータと、収納容器底面に位置する第２ヒータと、生ゴミ収納容器の温度を検知すると共にその底面に位置する温度センサと、この温度センサの最高温度と最低温度を検出し、記憶する最高温度記憶手段、最低温度記憶手段と、これらの差を比較する比較手段とを有し、この比較手段の出力によって、生ゴミ収納容器内の生ゴミが乾燥したと判断し、終了させる制御手段を有するものである。
【０００７】
次に、第２の手段は、生ゴミの収納容器と、生ゴミ収納容器内の生ゴミを加熱乾燥させる収納容器内の第１ヒータと、収納容器底面に位置する第２ヒータと、生ゴミ収納容器の温度を検知すると共にその底面に位置する温度センサと、この温度センサの出力を平均する平均値演算手段と、この出力を所定値と比較する第２比較手段とを有し、この第２比較手段の出力によって、生ゴミ収納容器内の生ゴミが乾燥したと判断し、終了させる制御手段を有するものである。
【０００８】
さらに、第３の手段は、生ゴミの乾燥状態のできばえを選択する選択手段と、前記選択手段の出力に応じた複数種類の時間計時を行うタイマーとを備え、前記タイマーの計時終了時に第１、第２ヒータの通電を停止させるようにするものである。
【０００９】
また、第４の手段は、生ゴミの乾燥状態のできばえを選択する選択手段と、前記選択手段の出力に応じた複数の所定比較温度値を記憶している記憶手段と、前記平均値演算手段の出力を前記記憶手段の記憶値と比較する第２比較手段とを有し、前記第２比較手段の出力によって、第１、第２ヒータの通電を停止させるようにするものである。
【００１０】
そして第５の手段は、運転を開始させる運転スイッチと、終了時の乾燥したゴミを自動で生ゴミ収納容器外へ排出させる払い出しスイッチと、生ゴミ収納容器内の生ゴミを加熱乾燥させる収納容器内の第１ヒータと、収納容器底面に位置する第２ヒータと、この第２ヒータの温度を検知する生ゴミ収納容器の底面に位置する温度センサと、複数の所定比較温度値を記憶している第２記憶手段と、前記温度センサの出力と前記第２記憶手段の記憶値とを比較する第２比較手段と、前記運転スイッチが操作された回数を記憶する第３記憶手段とを有し、前記第３記憶手段の記憶値によって前記第２記憶手段に記憶している比較温度値を選択するようにするものである。
【００１１】
そして第６の手段は、生ゴミ収納容器内の生ゴミを撹拌させる撹拌手段と、この撹拌手段の回転数を可変させる回転数可変手段とを備え、第３記憶手段の記憶値によって前記回転数可変手段の出力を決定するようにするものである。
【００１２】
【作用】
本発明の第１の手段によれば、収納容器内の生ゴミを上部、下部の２ヒータで加熱し、下部の温度センサによって第２ヒータの温度調節を行い、この出力の最高、最低温度を比較でき、この差が所定温度以上になったときに動作を終了させることが出来る。
【００１３】
つぎに、第２の手段によれば、収納容器内の生ゴミを上部、下部の２ヒータで加熱し、下部の温度センサによって第２ヒータの温度調節を行い、この出力の平均を記憶している所定値と比較でき、所定値以上になったときに動作を終了させることが出来る。
【００１４】
さらに、第３の手段によれば、第２の手段に加え、選択手段によって、使用者の好みにあったゴミの乾燥度にする動作終了タイミングをタイマーで遅延できる。
【００１５】
また、第４の手段によれば、第２の手段に加え、選択手段によって、使用者の好みにあったゴミの乾燥度を第２比較手段で比較する記憶手段の記憶値を可変することで実現する。
【００１６】
そして、第５の手段によれば、払い出しスイッチが押されるまでの運転スイッチの押された回数を記憶し、この回数によって、第２ヒータの温度調節の温度を第２比較手段が比較する第２記憶手段の出力を変えることで実現する。
【００１７】
そして、第６の手段によれば、操作手段の払い出しスイッチが押されるまでの運転スイッチの押された回数を記憶し、この回数によって、撹拌手段の回転数を回転数可変手段によって可変出来る。
【００１８】
【実施例】
以下、本発明の第一の実施例を図１、図２及び図３、図４を用いて説明する。図１は外観図であり、２２は生ゴミ収納容器である。２は生ゴミ収納容器２２の底面に位置し、収納容器内の生ごみに熱を与える第２ヒータ、１は同じく熱を与える収納容器２２内に位置する第１ヒータ、３は前記第２ヒータ２の温度を検出する（収納容器２２の底面温度を検出する）温度センサ、４は温度センサ３の出力値の最高値を検出し、記憶する最高温度記憶手段、５は前記温度センサ３の出力の最低値を検出し、記憶する最低温度記憶手段、６はこの最低温度記憶手段５と最高温度記憶手段４の差を比較する比較手段、７はこの比較手段６の出力によって収納容器２２内のゴミに加える熱（第１、第２ヒータ１、２）を停止させる制御手段で構成されている。
【００１９】
以上の構成において動作を説明する。まず、生ゴミを収納容器２２内に投入し、蓋２３を閉めて電源（図示せず）を投入する。すると第１ヒータ１、第２ヒータ２を制御手段７がｏｎさせ、生ゴミの乾燥を開始する。この時、収納容器２の底面に位置する温度センサ３が温度を検出し、その値を最高温度記憶手段４と最低温度記憶手段５に出力する。
【００２０】
ここで最高、最低温度記憶手段４、５はこの収納容器２２の底面に位置している第２ヒータ２の温度調節を所定の温度（例えば１３０℃）で行うため、入力した出力値を比較手段６に出力し、この比較手段６はこの入力の差を制御手段７に出力すると共に（出力値は”０”）入力値（現在値）も制御手段７に出力する。
【００２１】
この信号を制御手段７は受け、第２ヒータ２の動作を継続する。第１ヒータ１は、温度調節はせず、通電を継続する。時間の経過と共に温度センサ３の出力が上昇し（図３のＡ時点）１３０℃に達したとすると、この信号を受けた最高温度記憶手段４はこの値を記憶し、また同じく最低温度記憶手段５も記憶する。ここで、この信号を受けた制御手段７は、収納容器２２の底面温度が所定の温度１３０℃に達したので第２ヒータ２の通電をＯＦＦする。ＯＦＦ後も若干の温度の上昇が見られる訳であるが、収納容器２２内にあるゴミに熱を奪われ温度は低下してくる。そして図３のＢ点に達したときに１３０℃を下回ったため、制御手段７は再度第２ヒータ２の通電を開始する。この動作を繰り返していくわけであるが、収納容器２２内にあるゴミについては、次のようになる。
【００２２】
このゴミは上面と下面から熱が与えられており、水分が蒸発していく。水分の多いときには底面の第２ヒータ２の熱を良く吸収するので未乾燥状態では図３のＣは小さくなる。しかし、乾燥してくると、水分の蒸発も少なくなるため第２ヒータ２の熱を吸収しなくなる。すると、図３のＤの様に第２ヒータ２の通電を停止しても温度センサ３の出力はかなり上昇することになる。
【００２３】
この現象をとらえ、収納容器２２内のゴミが乾燥したことを検出するため、温度センサ３が出力する値を最高温度記憶手段４が記憶し、最低温度も最低温度記憶手段５が記憶している。これらの出力を比較手段６が差を検出し、制御手段７に出力する。制御手段７はこの出力信号が図３のＥ以上であれば（例えば１５℃）乾燥したとし、第１、第２ヒータ１、２の通電を停止し、動作を終了する。以上の動作を行うことで収納容器２２内にあるゴミの乾燥度を確実にとらえ、終了させることが出来る。
【００２４】
また本発明の第二の実施例を図５、図６を用いて説明する。構成について、２２は生ゴミの収納容器、１は生ゴミ収納容器２２内の生ゴミを加熱乾燥させる収納容器２２内の第１ヒータ、２は収納容器２２底面に位置する第２ヒータ、３はこの第２ヒータ２の温度を検知する収納容器２２の底面に位置する温度センサ、８はこの温度センサ３の出力を平均する平均値演算手段、９はこの出力を所定値と比較する第２比較手段、１０はこの第２比較手段９の出力によって、収納容器２２内のゴミが乾燥したと判断し終了させる制御手段である。
【００２５】
以上の構成において動作を説明するが、第１の実施例と同様の動作を行う各手段、第１、第２ヒータ１、２、温度センサ３については省略する。まず、生ゴミを収納容器２２内に投入し、蓋２３を閉めて電源（図示せず）を投入する。すると第１ヒータ１、第２ヒータ２を制御手段１０がＯＮさせ、生ゴミの乾燥を開始する。この時、収納容器２の底面に位置する温度センサ３が温度を検出し、その値を平均値演算手段８に出力する。ここで平均値演算手段８はこの収納容器２２の底面に位置している第２ヒータ２の温度調節を所定の温度（例えば１３０℃）で行うため、入力した出力値を第２比較手段９に出力する。この第２比較手段９はこの入力を所定値（例えば１４０℃）と比較し、以上で有れば終了信号を制御手段１０に出力する。
【００２６】
また、第２比較手段９は、前記説明のように制御手段１０が収納容器２２の底面に位置している第２ヒータ２の温度調節を所定の温度（例えば１３０℃）で行うため、入力値を制御手段１０に出力する。これを受けた制御手段１０は、第２ヒータ２の動作を継続する。第１ヒータ１は、温度調節はせず、通電を継続する。
【００２７】
この制御手段１０の動作は第一の実施例と同様である。時間の経過と共に温度センサ３の出力が上昇し、１３０℃に達したとすると、この信号を受けた平均値演算手段８はこの時点から演算を開始する。ここで、この信号を受けた制御手段１０は、収納容器２２の底面温度が所定の温度１３０℃に達したので第２ヒータ２の通電をＯＦＦする。ＯＦＦ後も若干の温度の上昇が見られる訳であるが、収納容器２２内にあるゴミに熱を奪われ温度は低下してくる。
【００２８】
そして、１３０℃を下回った時点で、制御手段１０は再度第２ヒータ２の通電を開始する。この動作を繰り返し、常時平均値を演算している前記平均値演算手段８の出力が１４０℃以上の時、第２比較手段９が制御手段１０に乾燥終了信号を出力する。制御手段１０はこの出力信号をうけ、第１、第２ヒータ１、２の通電を停止し、動作を終了する。
【００２９】
以上の動作を行うことで収納容器２２内にあるゴミの乾燥度を確実にとらえ、終了させることが出来る。
【００３０】
また本発明の第三の実施例を図７、図８を用いて説明する。２２は生ゴミの収納容器、１は生ゴミ収納容器内の生ゴミを加熱乾燥させる収納容器内の第１ヒータ、２は収納容器２２の底面に位置する第２ヒータ、３はこの第２ヒータ２の温度を検知する生ゴミの収納容器２２の底面に位置する温度センサ、８はこの温度センサ３の出力を平均する平均値演算手段、９はこの出力を所定値と比較する第２比較手段、１１は複数の時間計時を行うタイマー、１２は生ゴミの乾燥状態のできばえを選択する操作手段、１２ａはこの操作手段１２内の選択手段、１３は前記第２比較手段９の出力によって生ゴミの収納容器２２内のゴミが乾燥したと判断してから、前記タイマー１１の計時を開始し、計時終了時に動作を終了させる制御手段で構成されている。
【００３１】
以上の構成において動作を説明するが、第一、第二の実施例と同様の動作を行う各手段、第１、第２ヒータ１、２、温度センサ３、平均値演算手段８、第２比較手段９、制御手段１３については説明を省略する。
【００３２】
まず、操作手段１２についてであるが、これは使用者が標準で終了した時の生ゴミの乾燥状態では不満（もう少しからっと乾かしたい）である時に、選択手段１２ａによってその指示を行うことで、これを制御手段１３に信号として送り、制御手段１３は認識する。通常の動作（第一の実施例、２で説明済み）を行い、乾燥終了と判断した制御手段１３は、前記選択手段１２ａが操作されたかを判断する。
【００３３】
ここで、選択手段１２ａが操作されていない場合にはこの時点で第１、２ヒータ１、２の操作を停止し、終了させるわけであるが、選択手段１２ａが操作されていれば制御手段１３はタイマー１１に計時信号を送り、タイマー１１はこれを受けて所定時間を計時する。そしてこの計時が終わるまで第１、２ヒータ１、２を通電させ、（第２ヒータ２は温度調節をする）所定時間計時後タイマー１１からの計時終了信号によって制御手段１３は第１、２ヒータ１、２の通電を停止し動作を終了する。これによって、使用者の生ごみの乾き具合に対する選択が可能になる。
【００３４】
なお、選択手段１２ａで選択される選択種類は複数であっても同様の効果を奏する。
【００３５】
また本発明の第四の実施例を図９、図１０を用いて説明する。構成については、２２は生ゴミの収納容器、１は生ゴミの収納容器２２内の生ゴミを加熱乾燥させる収納容器２２内の第１ヒータ、２は収納容器２２底面に位置する第２ヒータ、３はこの第２ヒータ２の温度を検知する生ゴミの収納容器２２の底面に位置する温度センサ、８はこの温度センサ３の出力を平均する平均値演算手段、１２は生ゴミの乾燥状態のできばえを選択する操作手段、１２ａはこの操作手段１２内の選択手段、１５は複数の所定値を記憶している記憶手段、前記平均値演算手段８の出力を前記記憶手段１５の記憶値と比較する第２比較手段９、１４は前記第２比較手段９の出力によって、生ゴミの収納容器２２内のゴミが乾燥したと判断し、動作を終了させる制御手段で構成されている。
【００３６】
以上の構成において動作を説明するが、第三の実施例と同様の動作を行う各手段、第１、第２ヒータ１、２、温度センサ３、平均値演算手段８、第２比較手段９、制御手段１３については省略する。まず、操作手段１２についてであるが、これは使用者が標準で終了した時の生ごみの乾燥状態では不満（もう少しからっと乾かしたい、又はもう少ししめった状態で終わりたい）である時に、選択手段１２ａによってその指示を行うことで、これを制御手段１４に信号として送り、制御手段１４は認識する。通常の動作（第三の実施例で説明済み）を行い、平均値演算手段８の出力を受けた第２比較手段９が比較する比較値を制御手段１４は記憶手段１５に指示する。ここでの指示は、前記選択手段１２ａの選択によって決定する。
【００３７】
例えば選択手段１２ａが３種類（湿りがち、標準、からっと）であったとすると、記憶手段１５には１３５℃、１４０℃、１４５℃の３種類の数値が記憶されており、例えば選択手段１２ａで”湿りがち”が選択されたとすると、制御手段１４は記憶手段１５に信号を送り、この信号を受け記憶手段１５は第２比較手段９に１３５℃の信号を出力する。第２比較手段９はこの記憶値と前記平均値演算手段８の出力値を比較し、記憶値より平均値演算手段８の出力が大きいときには終了信号を制御手段１４に出力し、終了を促す。これによって制御手段１４は乾燥終了と判断し制御手段１４は、第１、２ヒータ１、２の操作を停止し、終了させ、動作を終了する。これによって、使用者の生ごみの乾き具合に対する選択が可能になる。
【００３８】
また本発明の第五の実施例を図１１、図１２を用いて説明する。構成については、１９ａは運転を開始させる運転スイッチ、１９ｂは終了時の乾燥したゴミを自動で生ゴミ収納容器外へ出す動作を開始させる払い出しスイッチ、１９はこれらを有する操作手段、１は生ゴミの収納容器２２内の生ゴミを加熱乾燥させる収納容器２２内の第１ヒータ、２は収納容器２２の底面に位置する第２ヒータ、３はこの第２ヒータ２の温度を検知する生ゴミの収納容器２２の底面に位置する温度センサ、１６は複数の所定値を記憶している第２記憶手段、９は前記温度センサ３の出力と前記第２記憶手段１６の記憶値と比較する第２比較手段、１７は前記操作手段１９内の運転スイッチ１９ａが操作された回数を記憶する第３記憶手段、１８はこの第３記憶手段１７の記憶値によって前記第２比較手段の比較値を可変させる制御手段で構成されている。
【００３９】
以上の構成において動作を説明するが、第四の実施例と同様の動作を行う各手段、第１、第２ヒータ１、２、温度センサ３、第２比較手段９については説明を省略する。
【００４０】
まず、操作手段１９についてであるが、これは使用者が運転を開始するときに操作する運転スイッチ１９ａと処理したゴミを排出（捨てる）時に操作する払い出しスイッチ１９ｂを有している。ここで本機は、一回の処理で処理したゴミを排出しないで、続けて生ごみを再投入し、処理することが出来る。しかしこの場合には一度処理したゴミを、生ごみと一緒に再度処理するため、一度処置されたゴミは再び熱を加えられ、ごげつく場合が想定される。
【００４１】
そこで、制御手段１８は、払い出しスイッチ１９ｂが押されるまでの記憶値によって、前記第２比較手段９が、温度センサ３からの出力と比較する比較値を決め（第２記憶手段１６に記憶されている）、第２ヒータ２の温度調節の温度を決定する。例えば２回までのゴミの連続投入の処理で有れば１３０℃で第２ヒータ２を温度調節し、（第一の実施例〜４と同様）３〜１０回までの連続投入で有れば１２５℃で温度調節を、それ以上で有れば１２０℃で行うといった状態である。
【００４２】
この数値が第２記憶手段１６に記憶されており、制御手段１８は。第３記憶手段１７の記憶値によって、第２記憶手段１６に信号を送り、第２記憶手段１６は第２比較手段９に出力する。払い出しスイッチ１９ｂが押され、収納容器２２内のゴミが排出されたときには、制御手段１８は前記第３記憶手段１７にクリア信号を出力し、記憶値はクリアされる。
【００４３】
また本発明の第六の実施例を図１３、図１４を用いて説明する。構成については、１９ａは運転を開始させる運転スイッチ、１９ｂは終了時の乾燥したゴミを自動で生ゴミ収納容器外へ出す動作を開始させる払い出しスイッチ、１９はこれらを有する操作手段、２０は生ごみの収納容器内の生ごみを撹拌させる撹拌手段、２１はこの撹拌手段２０の回転数を可変させる回転数可変手段、１は生ゴミの収納容器２２内の生ゴミを加熱乾燥させる収納容器２２内の第１ヒータ、２は収納容器２２の底面に位置する第２ヒータ、３はこの第２ヒータ２の温度を検知する生ゴミの収納容器２２の底面に位置する温度センサ、１６は複数の所定値を記憶している第２記憶手段、９は前記温度センサ３の出力と前記第２記憶手段１６の記憶値と比較する第２比較手段、１７は前記操作手段１９内の運転スイッチ１９ａが操作された回数を記憶する第３記憶手段、１８はこの第３記憶手段１７の記憶値によって前記回転数可変手段２１の出力を決定する制御手段で構成されている。
【００４４】
以上の構成において動作を説明するが、第五の実施例と同様の動作を行う各手段、第１、第２ヒータ１、２、温度センサ３、第２比較手段９、操作手段１９、第２記憶手段１６、第３記憶手段１７については省略する。まず、操作手段１９についてであるが、これは使用者が運転を開始するときに操作する運転スイッチ１９ａと処理したゴミを排出（捨てる）時に操作する払い出しスイッチ１９ｂを有している。
【００４５】
ここで本機は、一回の処理で処理したゴミを排出しないで、続けて生ごみを再投入し、処理することが出来る。しかしこの場合には一度処理したゴミを、生ごみと一緒に再度処理するため、一度処置されたゴミは再び熱を加えられ、ごげつく場合が想定される。さらに収納容器２２の底面には第２ヒータ２が配されており、ゴミが底面に接している時間が多い分、焦げに対して不利になる。
【００４６】
そこで、制御手段１８は、払い出しスイッチ１９ｂが押されるまでの記憶値によって、収納容器２２内のゴミを乾燥する時に均一に乾燥できるように撹拌させる撹拌手段２０の回転数を回転数可変手段２１によって可変させる。
【００４７】
例えば２回までのゴミの連続投入の処理で有れば６０ｒｐｍで撹拌手段２０を回転数可変手段２１に信号を送り、この回転数で駆動させる。３〜１０回までの連続投入で有れば７０ｒｐｍで、それ以上で有れば１００ｒｐｍで行うといった状態である。制御手段１８は、第３記憶手段１７の記憶値によって、回転数可変手段２１信号を送り、回転数可変手段２１は撹拌手段２０に出力する。払い出しスイッチ１９ｂが押され、収納容器２２内のゴミが排出されたときには、制御手段１８は前記第３記憶手段１７にクリア信号を出力し、記憶値はクリアされる。
【００４８】
【発明の効果】
以上の実施例から明らかなように、本発明の第１の手段によれば、生ゴミに含まれる水分量に応じて最適な終了時間判断し、最適な乾燥処理を行う。
【００４９】
また、第２の手段によれば、生ゴミに含まれる水分の減少を確実にとらえ、最適な終了時間判断し、最適な乾燥処理を行う。
【００５０】
また、第３の手段によれば、使用者の好みにあった最適な乾燥処理を行う。
【００５１】
また、第４の手段によれば、使用者の好みを確実にとらえ、乾燥終了時間を可変し、最適な乾燥処理を行う。
【００５２】
また、第５の手段によれば、乾燥ゴミの焦げ付きをなくし、快適な環境を維持しながら処理できる。
【００５３】
第６の手段によれば、生ごみを撹拌することで、仕上がり具合を更によくし、快適な環境を維持しながら処理できる。
【図面の簡単な説明】
【図１】本発明の第一の実施例を示す厨芥処理装置の内部構成図
【図２】同厨芥処理装置のブロック図
【図３】同厨芥処理装置の温度センサの出力波形図
【図４】同厨芥処理装置の処理内容を示すフローチャート
【図５】本発明の第二の実施例を示す厨芥処理装置のブロック図
【図６】同厨芥処理装置の処理内容を示すフローチャート
【図７】本発明の第三の実施例を示す厨芥処理装置のブロック図
【図８】同厨芥処理装置の処理内容を示すフローチャート
【図９】本発明の第四の実施例を示す厨芥処理装置のブロック図
【図１０】同厨芥処理装置の処理内容を示すフローチャート
【図１１】本発明の第五の実施例を示す厨芥処理装置のブロック図
【図１２】同厨芥処理装置の処理内容を示すフローチャート
【図１３】本発明の第六の実施例を示す厨芥処理装置のブロック図
【図１４】同厨芥処理装置の処理内容を示すフローチャート
【符号の説明】
１  第１ヒータ
２  第２ヒータ
３  温度センサ
４  最高温度記憶手段
５  最低温度記憶手段
６  比較手段
７、１０、１３、１４、１８  制御手段
８  平均値演算手段
９  第２比較手段
１１  タイマー
１２  操作手段
１５、１９  記憶手段
１６  第２記憶手段
１７  第３記憶手段
２０  撹拌手段
２１  回転数可変手段
２２  生ごみ収納容器
２３  蓋
【図１】
0003613830.tif 000002
【図２】
0003613830.tif 000003
【図３】
0003613830.tif 000004
【図４】
0003613830.tif 000005
【図５】
0003613830.tif 000006
【図６】
0003613830.tif 000007
【図７】
0003613830.tif 000008
【図８】
0003613830.tif 000009
【図９】
0003613830.tif 000010
【図１０】
0003613830.tif 000011
【図１１】
0003613830.tif 000012
【図１２】
0003613830.tif 000013
【図１３】
0003613830.tif 000014
【図１４】
0003613830.tif 000015